(57)【要約】【課題】  使用されている発光体の光量が同一でも、従来の保安灯に比してより遠くから視認することができるカットコーン等に装着可能な保安灯の提供を課題とする。【解決手段】  カットコーンの頂面板上に載置される円盤状の基板部１０上には、電池ホルダー３３に収納される電池の電力によって発光する複数個の発光体１１，１２，・・・，１８が同一円周上に等間隔で配設されている。円盤状の基板部１０の中心と各発光体１１，１２，・・・，１８とを結ぶ半直線上にそれぞれ位置するように、カバー部材２０の側面部には複数個のレンズ部２１，２２，・・・，２８が形成されている。また、同一円周上に配設されている発光体１１，１２，・・・，１８の内側には、レンズ部方向に光を反射する複数個の反射板１１ａ，１２ａ，・・・，１８ａが配設されている。【選択図】  図３
0003208459.tif 000002
【実用新案登録請求の範囲】
【請求項１】
道路の工事現場等で使用される円錐台形状で頂面部の中央に円形の透孔部を有するカットコーンに装着される保安灯であって、ガードレールや金属製パイプ等の資材にも装着可能な保安灯において、
当該保安灯は、前記カットコーンの頂面部上に載置可能な円盤状の基板部と、該基板部の下面側の中央部に下方に延在するように配設された有底円筒状のバッテリー収納部と、前記円盤状の基板部の上部を覆うように配設された光が透過可能な材料からなる逆有底円筒状のカバー部材とによって構成され、
前記円盤状の基板部上の内側には、前記円盤状の基板部の中心を中心とする前記基板部の直径よりも小さい直径の円の円周方向に沿って複数個の発光体が等間隔となるように配設され、前記円盤状の基板部の中心と前記発光体のそれぞれとを結ぶ複数個の半直線上に位置する前記逆有底円筒状のカバー部材の側面部には、入力した光を収束させるレンズ部が設けられていることを特徴とする保安灯。
【請求項２】
前記円盤状の基板部の中心と前記発光体とを結ぶ前記半直線上の前記中心と前記発光体との間の前記基板部上には、前記発光体から放射される光のうち前記中心方向に放射される光を前記半直線上に位置する前記カバー部材の前記レンズ部方向に反射する反射板が設けられていることを特徴とする請求項１に記載の保安灯。
【請求項３】
前記カバー部材の側面部の前記レンズ部の下側には、外部から入射する光を反射する光反射部が形成されていることを特徴とする請求項１または請求項２に記載の保安灯。
【考案の詳細な説明】
【技術分野】
【０００１】
本考案は、道路の工事現場等に配置される円錐台形状のカットコーンに装着される他、工事現場等で使用される資材等にも装着可能な保安灯に関するものである。
【背景技術】
【０００２】
従来から、夜間の工事現場などの暗い工事現場に配置する円錐台形状のカットコーンには、図１０に示すような保安灯１をカットコーン２の上部に装着して、カットコーン２の視認性を高めている。
【０００３】
この保安灯１は、その内部に電池，発光体，発光体制御装置等を具え、その発光体を発光させて周囲に光を放射することによって、暗い場所での視認性を高めるものである。
【０００４】
このようなカットコーン２に装着される保安灯１は、図１１に示すような保安灯固定用ネジ３ａと資材固定用ネジ３ｂとを有する専用の取付器具３を使用することにより、図１２（ａ）に示すようにガードレールＧや、図１２（ｂ）に示すように建設現場の足場等に使用される金属製パイプ（単管）Ｐにも取り付けて使用することができる。
【考案の概要】
【考案が解決しようとする課題】
【０００５】
以上のように構成された従来の保安灯１は、内部の発光体を発光させて、その光を保安灯１の周囲に拡散させるように放射させて視認性を高める構成となっているために、保安灯１を視認できる距離が、内部の発光体の光量によって制限されてしまうという問題点があった。
【０００６】
すなわち、従来の保安灯１においては、内部の発光体が発生させる光量によって、保安灯１が視認できる距離が制限されてしまうという問題点があった。
【課題を解決するための手段】
【０００７】
以上の問題点を解消するために本考案は、道路の工事現場等で使用される円錐台形状で頂面部の中央に円形の透孔部を有するカットコーンに装着される保安灯であって、ガードレールや金属製パイプ等の資材にも装着可能な保安灯において、当該保安灯は、前記カットコーンの頂面部上に載置可能な円盤状の基板部と、該基板部の下面側の中央部に下方に延在するように配設された有底円筒状のバッテリー収納部と、前記円盤状の基板部の上部を覆うように配設された光が透過可能な材料からなる逆有底円筒状のカバー部材とによって構成され、前記円盤状の基板部上の内側には、前記円盤状の基板部の中心を中心とする前記基板部の直径よりも小さい直径の円の円周方向に沿って複数個の発光体が等間隔となるように配設され、前記円盤状の基板部の中心と前記発光体のそれぞれとを結ぶ複数個の半直線上に位置する前記逆有底円筒状のカバー部材の側面部には、入力した光を収束させるレンズ部が設けられていることを特徴とするものである。
【０００８】
ここで、前記円盤状の基板部の中心と前記発光体とを結ぶ前記半直線上の前記中心と前記発光体との間の前記基板部上には、前記発光体から放射される光のうち前記中心方向に放射される光を前記半直線上に位置する前記カバー部材の前記レンズ部方向に反射する反射板が設けられていてもよい。
【０００９】
さらに、前記カバー部材の側面部の前記レンズ部の下側には、外部から入射する光を反射する光反射部が形成されていてもよい。
【考案の効果】
【００１０】
本考案によれば、使用されている発光体の光量が同一でも、従来の保安灯に比してより遠くから視認することができるカットコーン等に装着可能な保安灯を提供することができる。
【図面の簡単な説明】
【００１１】
【図１】本考案の実施例１の構成を示す斜視図である。
【図２】本考案の実施例１の内部の構成の説明図である。
【図３】本考案の実施例１の構成を示す分解斜視図である。
【図４】本考案の実施例１のカバー部材２０の構成図である。
【図５】本考案の実施例１の構成の説明図である。
【図６】本考案の実施例１の構成の説明図である。
【図７】本考案の実施例１の構成の説明図である。
【図８】本考案の実施例１の構成の説明図である。
【図９】本考案の実施例１の構成の説明図である。
【図１０】従来の保安灯の説明図である。
【図１１】従来の保安灯の説明図である。
【図１２】従来の保安灯の説明図である。
【考案を実施するための形態】
【００１２】
以下、図面を用いて本考案の実施例を説明する。
【実施例１】
【００１３】
図１は本考案の実施例１の外部構成を示す斜視図、図２は図１のカバー部材２０の内部の構成を示す説明図、図３は図１の分解斜視図である。
【００１４】
図１に示すように、本実施例１は、カットコーンの上部の頂面板上に載置可能な円盤状の基板部１０、基板部１０の下面側の中央部に下方に延在するように配設されている有底円筒状のバッテリー収納部３０、基板部１０の上部を覆うように配設された逆有底円筒状のカバー部材２０によって構成されている。
【００１５】
基板部１０には、図２に示すように複数個の発光体１１，１２，・・・，１８と、この発光体の発光を制御する発光体制御装置１９が配設されている。発光体制御装置１９は、従来例と同様にバッテリー収納部３０内の電池（図６に示す電池３１，３２）の電力を用いてＬＥＤ等の発光体１１，１２，・・・，１８の発光を制御する。ここで、カバー部材２０は、内部の発光体１１，１２，・・・，１８が発生させる光が外部から視認できるような光が透過可能な材料によって構成されている。
【００１６】
図３に示すように、カバー部材の側面部には入力する光を収束させる複数個のレンズ部２１，・・・，２７，２８が配設されている。基板部１０の発光体１１，１２，・・・，１８の内側には、反射板１１ａ，１２ａ，・・・，１８ａが配設されている。また、バッテリー収納部３０の内部には、電池を発光体制御装置１９に接続するための電池ホルダー３３が配設されている。
【００１７】
以上のように構成された本実施例１はカットコーン（図１０参照）の頂面板に形成されている透孔部にバッテリー収納部３０を挿入して、基板部１０をカットコーンの頂面板に載置した状態で使用されるものである。ここで、本実施例１に係る保安灯も従来の保安灯と同様に、図１１に示した取付器具３を使用することにより、ガードレールや金属製パイプに取り付けて使用することができる。
【００１８】
以下、図面を用いて本実施例１に係る発光体１１，１２，・・・，１８と、カバー部材２０のレンズ部２１，・・・，２８と、反射板１１ａ，１２ａ，・・・，１８ａとについて説明する。
【００１９】
図４は、カバー部材２０を上部から視た構成を示した図であり、図５はその内部の構成を示した図である。
【００２０】
図５に示したように、複数個の発光体１１，１２，・・・，１８は、円盤状の基板部１０の中心を中心とする基板部１０の直径よりも小さい直径の円の円周方向に沿って等間隔となるように配設されている。カバー部材２０の側面部に配設されている入力光を収束させるレンズ部２１，２２，・・・，２８は、基板部１０の中心と各発光体１１，１２，・・・，１８のそれぞれとを結ぶ複数個の半直線上にそれぞれのレンズ部２１，２２，・・・，２８の中心が位置するように配設されている。
【００２１】
また、基板部１０の中心と各発光体１１，１２，・・・，１８のそれぞれとを結ぶ複数個の半直線上の基板部１０上には、基板部１０の中心と各発光体１１，１２，・・・，１８との間に位置するように、図６，図７に示したように各発光体から放射される光のうち基板部１０の中心方向に放射される光をレンズ部方向に反射する反射板１１ａ，１２ａ，・・・，１８ａが配設されている。
【００２２】
本実施例１においては、このように反射板１１ａ，１２ａ，・・・，１８ａを配設することによって、発光体で発生する光を効率よくレンズ部に集め、レンズ部で収束させて、拡散させることなく外部に放射させることができるので、従来の保安灯に比して、同一の発光量の発光体を使用した場合、より遠くから視認することができる。
【００２３】
なお、以上説明した実施例１においては、発光体やレンズ部や反射板の個数を８個として説明したが、本考案は発光体等の個数を８個に限定するものではなく、複数個であれば何個であってもよい。
【００２４】
ここで、図８および図９に示したように、カバー部材２０の側面部のレンズ部２１，・・・，２７，２８の下側（カバー部材２０の内側）に外部から入射するヘッドライト等の光を反射する光反射部材４０を配設して、このカバー部材２０のレンズ部２１，・・・，２７，２８の下側の部分を光反射部にすれば、発光体１１，１２，・・・，１８の光に影響を与えることなく本実施例１の視認性をより一層高めることができる。
【符号の説明】
【００２５】
１  保安灯
２  カットコーン
３  取付器具
３ａ  保安灯固定用ネジ
３ｂ  資材固定用ネジ
１０  基板部
１１，・・・，１８  発光体
１１ａ，・・・，１８ａ  反射板
１９  発光体制御装置
２０  カバー部材
２１，・・・，２８  レンズ部
３０  バッテリー収納部
３１，３２  電池
３３  電池ホルダー
４０  光反射部材
Ｇ  ガードレール
Ｐ  金属製パイプ（単管）
【図１】
0003208459.tif 000003
【図２】
0003208459.tif 000004
【図３】
0003208459.tif 000005
【図４】
0003208459.tif 000006
【図５】
0003208459.tif 000007
【図６】
0003208459.tif 000008
【図７】
0003208459.tif 000009
【図８】
0003208459.tif 000010
【図９】
0003208459.tif 000011
【図１０】
0003208459.tif 000012
【図１１】
0003208459.tif 000013
【図１２】
0003208459.tif 000014